(57)【要約】      （修正有）【課題】排泄後に体液の温度が低下することを防止し，この体液を比較的温かい状態に維持し続けることにより，体液が着用者の肌に接した場合であっても，体液の冷たさによって着用者に不快感を与えにくい吸収性物品を提供する。【解決手段】吸収体１０と，吸収体１０の肌対向面側に配置されたトップシート２０と，吸収体１０の肌非対向面側に配置されたバックシート３０と，を備え、ここで，バックシート３０は，肌対向面及び肌非対向面の両面又はいずれか一方の面の少なくとも一部に，金属層３１を配し、金属層による保温効果を有し、さらに，バックシート３０は，肌非対向面側をカバーシート４０によって被覆されている吸収性物品。【選択図】図２
2014180461.tif 000002
【特許請求の範囲】
【請求項１】
吸収体（１０）と，
前記吸収体（１０）の肌対向面側に配置されたトップシート（２０）と，
前記吸収体（１０）の肌非対向面側に配置されたバックシート（３０）と，
を備える吸収性物品であって，
前記バックシート（３０）は，肌対向面及び肌非対向面の両面又はいずれか一方の面の少なくとも一部に，金属層（３１）を有しており，
前記バックシート（３０）は，肌非対向面側をカバーシート（４０）によって被覆されている
吸収性物品。
【請求項２】
前記バックシート（３０）は，少なくとも肌対向面に，金属層（３１）を有しており，
前記吸収体（１０）と前記バックシート（３０）の金属層（３１）との間に，一又は複数の第１補助シート（６０）を，さらに備える
請求項１に記載の吸収性物品。
【請求項３】
前記バックシート（３０）は，少なくとも前記金属層（３１）が形成された部分において，複数の通気孔が形成されている
請求項１又は請求項２に記載の吸収性物品。
【請求項４】
前記カバーシート（４０）は，エンボス加工によって，複数の凹部（４１）と複数の凸部（４２）が形成されている
請求項１から請求項３のいずれかに記載の吸収性物品。
【請求項５】
前記バックシート（３０）と前記カバーシート（４０）との間に，一又は複数の第２補助シート（７０）を，さらに備える
請求項１から請求項３のいずれかに記載の吸収性物品。
【請求項６】
前記バックシート（３０）は，前記吸収体（１０）が厚み方向に重なる領域内，又は前記吸収体（１０）が厚み方向に重なる部分を含む領域内に，前記金属層（３１）を有しており，
前記バックシート（３０）は，さらに，前記金属層（３１）の周囲に，当該金属層（３１）が形成されていない非金属域（３２）を有する
請求項１から請求項３のいずれかに記載の吸収性物品。
【発明の詳細な説明】
【技術分野】
【０００１】
本発明は，着用者の股下に装着され，尿などの液体を吸収し保持するための吸収性物品に関する。具体的に説明すると，本発明は，保温効果を有し，排尿により濡れた部分の温度が低下しにくい吸収性物品に関するものである。
【背景技術】
【０００２】
従来から，着用者の股下に装着される吸収性物品として，使い捨ておむつや，尿パッド，生理用ナプキン等が知られている。例えば，使い捨ておむつや尿パッドのような吸収性物品は，乳幼児や高齢者用によって使用される。一般的な吸収性物品は，吸収体と，吸収体の肌対向面を被覆する液透過性のトップシートと，吸収体の肌非対向面を被覆する液不透過性のバックシートとを備える。また，このような構成を有する使い捨てのおむつとして，例えば，予めパンツ型に形成されたパンツ型のおむつや，着用者の胴回りを覆うサイドフラップに止着テープが設けられたテープ型のおむつ等が知られている。
【０００３】
上記使い捨ておむつのような吸収性物品は，着用者が排泄した尿などの液体を吸収し保持する機能を有している。しかし，一般的に，尿などの排泄物は，排泄直後は人体の体温に近い温度を有しているものの，一旦吸収体に吸収されると，時間の経過に従って徐々に温度が低下していく。このため，尿によって濡れた部分が着用者の肌に触れると，尿の冷たさによって，着用者に対して不快感を与えることとなる。特に冬場のように気温が低い時期になると，尿によって濡れた吸収体は，人にとってかなり冷たく感じるものとなっていた。また，排尿後はすぐに使い捨ておむつを交換することが好ましいが，状況によってはすぐに使い捨ておむつを交換できない場合もあり，尿が吸収された使い捨ておむつを長時間履き続けなければならないことも考えられる。このような場合，着用者は，股下に吸収体に保持されている尿の冷たさを不快に感じ続けることになるという問題があった。
そこで，このような問題を解消するための技術について，従来から種々の提案がなされている（例えば，特許文献１，特許文献２，及び特許文献３）。
【０００４】
特許文献１には，保温率を４５％以下とし，リウェット率を１０質量％以下とすることで，排泄物を吸収した後もトップシートの肌対向面をサラサラな状態に維持できる吸収性物品が開示されている。特許文献１の発明では，吸収性物品の厚さを薄くしたり，排泄口当接域における吸収性物品の厚さを薄くしたりすることにより，保温率をなるべく低下させることで，トップシートの肌対向面の肌触りをサラサラな状態に維持し，排尿後の不快感を低減させることとしている。
【０００５】
特許文献２には，吸収体を構成する吸水性樹脂の特定の性能を向上させることで，この吸水性樹脂が体液を吸収し膨潤した後に高い保温性を発揮する使い捨ておむつが開示されている。特許文献２の発明は，吸収体の中に含まれる吸水性樹脂の組成を調整し，この吸水性樹脂が体液を吸収した後にも，体温に近い温度をより長く維持するようにすることで，着用者が感じる不快感を和らげることとしている。
【０００６】
特許文献３には，バックシートの肌対向面側に熱融着繊維からなるエアースルー不織布を積層することにより，吸収体付近の保温性を高めた吸収性物品が開示されている。特許文献３の発明において，バックシートの肌対向面側に配置された不織布は，繊維径が１．０から１．５ｄｔｅｘ以下の熱融着性繊維を７０％以上有し，目付け２２ｇ／ｍ２以上で比容積１０ｃｍ３／ｇ以上のエアースルー法により形成されているため，遠赤外線放射鉱物等を含有した紙おむつと同等の保温性を得ることができるとされている。
【先行技術文献】
【特許文献】
【０００７】
【特許文献１】特開２０１２−１００９４５号公報
【特許文献２】特開２００５−１９４５２４号公報
【特許文献３】特開２０１０−０３５５８２号公報
【発明の概要】
【発明が解決しようとする課題】
【０００８】
ところで，上掲した特許文献に記載の発明はいずれも，体液の温度低下自体を防止して，排泄後の不快感を解消するというものではなかった。例えば，特許文献１の発明は，吸収体による体液の吸収性を高めて，冷えた体液が着用者の肌になるべく触れないようにすることで，着用者に対し冷たさを感じさせないようにしている。また，特許文献２の発明は，体液を吸収した吸水性樹脂の保温性を向上させて，体液の冷たさが着用者に伝わらないようにしている。また，特許文献３は，比較的厚手の不織布をバックシートの肌対向面側に配置し，冷えた体液が着用者の肌が触れないようにしている。
【０００９】
しかしながら，上記特許文献１に記載された発明のように，着用者の肌と排泄物とが直接触れないようにすることで，間接的に使い捨ておむつの保温性を高めたとする技術では，例えば，排泄された尿が局所的に吸収体に蓄積されているような場合や，トップシートを透過しない排泄物が残っている場合など，着用者の肌と排泄物とが直接接してしまうトラブルが生じた場合に，やはり排泄物の冷たさによって，着用者に不快感を与えるという不具合があった。また，例えば，特許文献２に記載された発明のように，湿潤した吸水性樹脂の保温性を維持する技術には限界があり，吸水性樹脂は体液を吸収した後，徐々にその温度が低下していくため，保温性を長時間維持することは困難であった。また，特許文献３に記載された発明のように，厚手の不織布を積層すると，使い捨ておむつに厚みが出てしまい着用感が低下する恐れもあった。このように，従来の発明は，排泄された体液の温度低下を防止するといった意味での保温性を有してはおらず，何らかの拍子に，冷えた体液が着用者の肌が触れた際に，やはり着用者が不快感を感じ易いものとなっていた。
【００１０】
このため，現在では，排泄後に体液の温度が低下することを防止し，この体液を比較的温かい状態に維持し続けることにより，体液が着用者の肌に接した場合であっても，体液の冷たさによって着用者に不快感を与えにくい吸収性物品が求められている。
【課題を解決するための手段】
【００１１】
そこで，本発明の発明者は，上記の従来発明の問題点を解決する手段について鋭意検討した結果，吸収体の肌非対向面側に，金属層を有するバックシートを配置し，このバックシートの金属層が反射する体熱を利用して，吸収体に保持されている排泄物の温度維持することにより，排泄後に吸収性物品を長時間着用するような場合であっても，排泄物の温度低下を防止でき，着用者の肌が排泄物に触れたときに冷たさを感じにくくすることができるという知見を得た。さらに，金属層を有するバックシートの肌非対向面側に，カバーシートを配置し，金属層が反射した体熱の拡散を防止することで，金属層が持つ保温効果を高めることができるという効果を確認した。そして，本発明者は，上記知見に基づけば，従来技術の課題を解決できることに想到し，本発明を完成させた。
具体的に説明すると，本発明は以下の構成を有する。
【００１２】
本発明の吸収性物品は，吸収体１０と，吸収体１０の肌対向面側に配置されたトップシート２０と，吸収体１０の肌非対向面側に配置されたバックシート３０と，を備える。
ここで，バックシート３０は，肌対向面及び肌非対向面の両面又はいずれか一方の面の少なくとも一部に，金属層３１を有している。バックシート３０に形成する金属層３１は，例えば，バックシート３１に対して金属蒸着を行うことにより形成されたものであってもよいし，バックシート３１に金属シートをラミネートすることにより形成されたものであってもよい。
さらに，バックシート３０は，肌非対向面側をカバーシート４０によって被覆されている。
【００１３】
上記構成のように，吸収体１０の肌非対向面側に配置するバックシート３０に金属層３１を形成すると共に，このバックシート３０をカバーシート４０によって被覆することで，吸収体に保持されている排泄物の温度低下を防止でき，着用者の肌が排泄物に触れたときに冷たさを感じにくくすることができる。すなわち，本発明によれば，排泄された体液の温度低下を防止するといった意味での保温効果を有する吸収性物品を提供できる。
【００１４】
本発明において，バックシート３０は，少なくとも肌対向面に，金属層３１を有していることが好ましい。また，本発明の吸収性物品は，吸収体１０とバックシート３０の金属層３１との間に，一又は複数の第１補助シート６０を，さらに備えることが好ましい。
【００１５】
上記構成のように，吸収体１０とバックシート３０との間に，さらに第１補助シート６０を介在させることで，吸収体１０と金属層３１の間に空気層が形成されるため，金属層３１による保温効果をさらに高めることができる。
【００１６】
本発明において，バックシート３０には，少なくとも金属層３１が形成された部分において，複数の通気孔が形成されていることが好ましい。
【００１７】
本発明によれば，バックシート３０に金属層３１を形成することで，保温効果を高めることができるものの，この金属層３１は空気を通しにくい層であるため，吸収性物品の通気性が低下するという懸念がある。そこで，バックシート３０の金属層を３１に，液不透過性を維持しつつ通気性を向上させるための微細な通気孔を形成することで，保温性と通気性を両立させることができる。
【００１８】
本発明において，カバーシート４０には，エンボス加工によって，複数の凹部４１と複数の凸部４２が形成されていることが好ましい。
【００１９】
上記構成のように，カバーシート４０にエンボス加工を施すことで，このカバーシート４０と，金属層３１を有するバックシート３０との間に，空気層を形成することができる。これにより，金属層３１による保温効果をさらに高めることができる。
【００２０】
本発明において，吸収性物品は，バックシート３０とカバーシート４０との間に，一又は複数の第２補助シート７０を，さらに備えることが好ましい。
【００２１】
上記構成のように，バックシート３０とカバーシート４０と間に第２補助シート７０をさらに介在させることで，金属層３１により反射された体熱の拡散を防止できるため，着用者は吸収物品の着用時に温かさを感じることができる。
【００２２】
本発明において，バックシート３０は，吸収体１０が厚み方向に重なる領域内，又は吸収体１０が厚み方向に重なる部分を含む領域内に，金属層３１を有していることとしてもよい。この場合において，バックシート３０は，金属層３１の周囲に，金属層３１が形成されていない非金属域３２を有することとしてもよい。
【００２３】
金属層３１を形成することにより，保温効果を最も期待できる部分は，バックシート３０と吸収体１０が重なる部分であると考えられる。このため，このバックシート３０のうち，吸収体１０が重なる部分に金属層３１を形成することで，十分な保温効果を得られる。また，バックシート３０と吸収体１０が重なる部分にのみ金属層３１を形成し，その他の部分は非金属域３２とすることで，金属層３１を形成する面積を低減させることができるため，吸収性物品の製造コストを低減できる。
また，金属層３１は光を反射し，吸収性物品を構成するその他の不織布などの部材と比較して非常に目立つものであるため，金属層３１を外部から視認できるものであると，着用者によっては，吸収性物品を着用することに抵抗を持つ恐れもある。この点，上記構成によれば，金属層３１が吸収体１０によって殆どの部分が隠れるようになるため，通常の吸収性物品と変わらない外観とすることができ，着用者の抵抗感を払拭できる。
さらに，上記構成では，バックシート３０の周縁に沿って非金属域３２を形成している。金属層３１は，通常の不織布等と比較して手触りが硬いものであるため，バックシート３０の周縁まで金属層３１を形成すると，吸収性物品全体の風合いが損なわれたり，バックシート３０の縁が着用者の肌に触れたときに傷をつけてしまう恐れもある。この点，上記構成のように，バックシート３０の周縁に沿って非金属域３２を形成することで，少なくともバックシート３０の周縁部分の肌触りを柔らかいままに維持できるため，金属層３１を形成したとしても，吸収性物品全体の風合いが損なわれることを効果的に防止できる。
【発明の効果】
【００２４】
本発明によれば，排泄後された体液の温度が低下することを防止し，この体液を比較的温かい状態に維持し続けることにより，体液が着用者の肌に接した場合であっても，体液の冷たさによって着用者に不快感を与えにくい吸収性物品を提供できる。
【図面の簡単な説明】
【００２５】
【図１】図１は，本発明に係る吸収性物品の例を示す展開図である。
【図２】図２は，本発明の一実施形態に係る吸収性物品の断面図である。
【図３】図３は，本発明の別の実施形態に係る吸収性物品の断面図である。
【図４】図４は，本発明のさらに別の実施形態に係る吸収性物品の断面図である。
【図５】図５は，バックシートに金属層を形成する領域を模式的に示した斜視図である。
【発明を実施するための形態】
【００２６】
以下，図面を用いて本発明を実施するための形態について説明する。本発明は，以下に説明する形態に限定されるものではなく，以下の形態から当業者が自明な範囲で適宜修正したものも含む。
なお，本願明細書において，「長手方向」とは，使い捨ておむつの長手方向を意味し，使い捨ておむつの前身頃から後身頃を結ぶ方向（図１の上下方向）をいう。また，「幅方向」とは，使い捨ておむつの幅方向を意味し，上記長手方向に平面的に直交する方向（図１の左右方向）をいう。
また，本願明細書において，「肌対向面」とは，吸収性物品が装着された際に着用者の肌に向かい合う面を意味し，「肌非対向面」とは，肌対向面とは反対側の面であり，着用者の肌に向かい合わない面を意味する。
また，本願明細書において，「Ａ〜Ｂ」とは，「Ａ以上Ｂ以下」であることを意味する。
【００２７】
（１．使い捨ておむつ）
本発明は，少なくとも，トップシートとバックシートの間に吸収体が介在し，さらにバックシートの肌非対向面を覆うカバーシートを備えた吸収性物品に関する。本発明は，例えば，パンツ型の使い捨ておむつ，テープ型の使い捨ておむつ，生理用ナプキン，尿取りパッド，又は吸収パッドのように，体液を吸収保持することを目的として着用者に装着される物品に広く適用可能である。パンツ型の使い捨ておむつは，前身頃と後身頃の両側部が予め接合されたタイプの使い捨ておむつである。パンツ型の使い捨ておむつとしては，吸収性本体が載置される外装体が前身頃から後身頃に掛けて一体となった一体型のものであってもよいし，外装体が前身頃及び後身頃で分離され，前身頃外装体と後身頃外装体の間に吸収性本体が架橋された架橋型のものであってもよい。また，テープ型の使い捨ておむつは，前身頃又は後身頃の両側部に接着テープが取り付けられ，着用時に接着テープを利用して前身頃と後身頃を接着させるタイプの使い捨ておむつである。
以下では，これらの種々のタイプの使い捨ておむつのうち，前身頃外装体と後身頃外装体の間に吸収性本体が架橋されたタイプのパンツ型使い捨ておむつを例に挙げて，本発明の内容を具体的に説明する。
【００２８】
図１は，使い捨ておむつ１００の展開図であり，使い捨ておむつ１００を，肌対向面側からみた状態を示している。図１に示されるように，本実施形態に係る使い捨ておむつ１００は，装着時において，着用者の腹部側に当接する前身頃１と，着用者の背部側に当接する後身頃２と，前身頃１と後身頃２の間に位置する股下域３とに区分される。また，使い捨ておむつ１００は，吸収性本体４と，前身頃外装体５と，後身頃外装体６を有している。前身頃外装体５は，装着時において着用者の腹部に接触する前身頃１を形成し，後身頃外装体６は，装着時において着用者の背部に接触する後身頃２を形成する。吸収性本体４は，その長さ方向の一端部側が前身頃外装体５に固定され，他端部側が後身頃外装体６に固定される。このため，本発明では，吸収性本体４が，前身頃外装体５と後身頃外装体６との間に架橋された状態となっている。吸収性本体４を，前身頃外装体５と後身頃外装体６に固定する手段は，公知の方法を用いることができ，例えばホットメルト接着剤や，その他流動性のある接着剤を用いた固定方法により固定することとしてもよいし，ヒートシールのような熱融着や超音波融着により固定することとしてもよい。
【００２９】
また，前身頃外装体５と後身頃外装体６は，幅方向両側縁に位置するサイドシール部７において互いに接合されることにより，前身頃外装体５及び後身頃外装体６が環状に繋がる。このようにして，前身頃外装体５と後身頃外装体６をサイドシール部７で接合することにより，装着時に着用者の腰周りに位置する腰周り開口部と，装着時に着用者の脚部周りに位置する脚部周り開口部が形成され，パンツ型の使い捨ておむつとなる。着用者は，その腹部が前身頃外装体５に接触し，背部が後身頃外装体６に接触するようにして，腰周り開口部から両脚部を入れ，それぞれの脚部を脚部周り開口部から出すことで，パンツ型の使い捨ておむつを装着することができる。使い捨ておむつの着用時において，吸収性本体４は，着用者の排泄部に当てがわれ，着用者が排泄した尿などの液体を吸収し保持する。
【００３０】
（２．吸収性本体）
続いて，吸収性本体４の構造について説明する。吸収性本体４は，股下域３を中心に前身頃１及び後身頃２にかけて配置される。吸収性本体４は，使い捨ておむつ１００の着用時おいて，着用者の股下に当接して尿などの液体を吸収保持する。
【００３１】
図２（ａ）は，図１のＸ１−Ｘ１線において吸収性本体４を切断した状態を示す概略断面図である。図２（ａ）に示されるように，吸収性本体４は，液体を吸収し保持する吸収体１０と，吸収体１０の肌対向面側を被覆する液透過性のトップシート２０と，吸収体１０の肌非対向面側を被覆する液不透過性のバックシート３０を有する。また，吸収性本体４は，バックシート３０の肌非対向面側を被覆するカバーシート４０を備えている。さらに，吸収性本体４は，吸収体１０の左右両側に，一対のサイドシート５０を有しており，このサイドシート５０によって，吸収体１０の両側部に立体ギャザーを形成している。以下，吸収性本体４を構成する各部材について，具体的に説明する。
【００３２】
（２−１．吸収体）
吸収体１０は，尿などの液体を吸収し，吸収した液体を保持するための部材である。吸収体１０は，液透過性のトップシート２０と，液不透過性のバックシート３０の間に配置される。吸収体１０は，トップシート２０を透過した液体を吸収する機能を有する吸収性材料により構成される。吸収体１０を構成する吸収性材料には，公知の材料を採用することができる。吸収性材料としては，例えば，フラッフパルプ，高吸収性ポリマー，又は親水性シートを用いることとしてもよい。また，吸収性材料には，フラッフパルプ，高吸収性ポリマー，又は親水性シートのうち１種類を単独で用いてもよいし，２種類以上を併用することとしてもよい。吸収性材料は，通常，単層又は複数層のマット状に形成され，用いられる。また，吸収体１０は，吸収性材料を，ティシュや不織布などのコアラップシート１１により，肌対向面側及び肌非対向面側から被包することにより構成されたものであることが好ましい。
【００３３】
また，吸収体１０及びコアラップシート１１は，トップシート２０とバックシート３０の間の領域に封入される。すなわち，トップシート２０とバックシート３０は，吸収体１０の周縁よりも長手方向及び幅方向に長く延出しており，これらの延出した部分が，吸収体１０を囲うようして，互いに接合される。これにより，吸収体１０を構成するフラッフパルプや，高吸水性ポリマー等が外部に漏れ出すことを防止できる。
【００３４】
また，吸収体１０は，その形状を，使い捨ておむつの形状や，大きさ，用途に合せて適宜設計することができる。例えば，吸収体１０の形状は，図１の展開図に示されるように，砂時計型であることが好ましい。砂時計型とは，前身頃側と後身頃側において，吸収体１０の両側縁が，幅方向外側に向かって突出した突出部を有することを意味する。砂時計型では，吸収体１０の四隅に突出部が形成されることにより，吸収体１０の長さ方向中央部に，吸収体１０の内方に向かって湾曲又は屈折したくびれ部が形成される。また，吸収体１０は，一般的な使い捨ておむつに使用されている，矩形型，楕円形型，又はひょうたん型とすることとしてもよい。
【００３５】
（２−２．トップシート）
トップシート２０は，着用者の股下の肌に直接接し，尿などの液体を吸収体１０に透過させるためのシート状の部材である。このため，トップシート２０は，柔軟性が高い液透過性材料で構成されることが好ましい。ここにいう液透過性材料とは，例えば，標準の大気圧下において，常温の水を５ｍｌその上に載せた場合に，１分未満の時間で水を透過する材料を意味する。トップシート２０は，吸収体１０を肌対向面側から被覆するように配置される。トップシート２０と吸収体１０は，ホットメルト接着剤等の公知の接着剤によって固定すればよい。
【００３６】
トップシート２０を構成する液透過性材料の例は，織布，不織布，又は多孔性フィルムである。また，トップシート２０としては，ポリプロピレン，ポリエチレン，ポリエステル，又はナイロンのような熱可塑性樹脂の繊維に親水化処理を施して，不織布にしたものを用いることとしてもよい。また，トップシート２０を構成する不織布としては，熱可塑性樹からなる構成繊維を，スパンボンド法，エアースルー法，スパンレース法，サーマルボンド法，メルトブローン法，又はニードルパンチ法等の加工法によって加工したものが挙げられる。不織布の加工法のうち，スパンボンド法により形成された不織布は，柔軟性及びドレープ性に優れている。また，サーマルボンド法は，嵩高でソフトな不織布を得られるというメリットがある。
【００３７】
（２−３．バックシート）
バックシート３０は，トップシート２０を透過し吸収体１０に吸収された液体が，外部に漏出することを防止するためのシート状の部材である。このため，バックシート３０は，液不透過性材料によって構成されることが好ましい。ここにいう液不透過性材料とは，例えば，標準の大気圧下において，常温の水を５ｍｌその上に載せた場合に，１分以上経過してもその水を透過しない材料を意味する。バックシート３０は，吸収体１０を肌非対向面側から被覆するように配置される。
【００３８】
バックシート３０を構成する液不透過材料の例は，ポリエチレンやポリプロピレン等のオレフィン系の熱可塑性樹脂シートであり，少なくとも遮液性を有するシート材が用いられる。また，バックシート３０としては，ポリエチレンやポリプロピレン等のオレフィン系樹脂中に，無機充填剤を混練してシートを成形した後，延伸することにより得られる微多孔性の通気性樹脂シートを用いることもできる。その他，バックシート３０としては，ポリエチレンシート等に不織布を積層したラミネート不織布シートや，防水フィルムを介在して実質的な液不透過性を確保した不織布シートを用いることもできる。特に，０．１〜４μｍの微細な孔が複数形成された微多孔性ポリエチレンフィルムを，バックシート３０として用いることが好ましい。
【００３９】
また，本発明において，バックシート３０は，金属層３１を有する。図２（ａ）の断面図に示された実施形態において，金属層３１は，バックシート３０の肌対向面の全体に形成されている。このように，金属層３１は，少なくともバックシート３０の肌対向面に形成されていることが好ましい。ただし，金属層３１は，バックシート３０の肌対向面と肌非対向面の両面に形成することもできるし，バックシート３０の肌非対向面にのみ形成することも可能である。また，金属層３１は，バックシート３０の面全体に形成することとしてもよいが，後述するように，バックシート３０の面の一部にのみ形成するものであってもよい。
【００４０】
金属層３１は，バックシート３０に対して金属蒸着により形成されることが好ましいが，その他，金属シートをバックシート３０にラミネートすることにより形成したものであってもよい。すなわち，金属層３１は，例えば，熱可塑性樹脂シート等のシート部材の表面に対し，金属材料を所定厚さで蒸着することで形成できる。また，金属層３１は，例えば，熱可塑性樹脂シート等のシート部材の表面に対し，薄い箔状の金属材料をラミネート加工することにより形成できる。金属層３１は，適宜公知の金属材料を蒸着又はラミネートすることで形成でき，例えば，金属材料としては，アルミニウム，スズ，クロム，ニッケル，金，銀，銅，ゲルマニウム，酸化亜鉛，酸化硅素，又はフッ化マグネシウム等の金属や，これらの合金又は化合物を用いることができる。また，金属層３１を，金属蒸着により形成する場合，真空蒸着法，スパッターリング法，イオンプレーティング法，又は鍍金法などの方法を行うことが可能である。特に，金属層３１は，反射性が良好で蒸着が容易なアルミニウムを採用し，真空蒸着法を利用して形成されたものであることが好ましい。バックシート３０の面に金属材料を蒸着する厚さは，例えば，０．００１μｍ〜１０μｍ，０．０１μｍ〜８μｍ，又は１μｍ〜５μｍ程度とすればよい。
【００４１】
上記のように，吸収体１０の肌非対向面側に，金属層３１を有するバックシート３０を配置し，このバックシート３０の金属層３１が反射する体熱を利用して，吸収体１０に保持されている排泄物の温度維持することにより，排泄後に使い捨ておむつ１００を長時間着用するような場合であっても，排泄物の温度低下を防止でき，着用者の肌が排泄物に触れたときに冷たさを感じにくくすることができる。
【００４２】
また，バックシート３０の金属層３１には，液不透過性を維持できる程度の微細な通気孔（図示省略）を多数形成することが好ましい。すなわち，金属層３１は，通気孔を有することにより，通気性を有するが，通液性を有しないものとなる。例えば，１つの通気孔の開口面積は，０．０１ｍｍ２〜１ｍｍ２，又は０．０５ｍｍ２〜０．１ｍｍ２程度であることが好ましい。また，通気孔は，金属層３１全域に形成されているものであってもよいし，金属層３１の一部に形成されているものであってもよい。また，通気孔を形成する領域の面積に対して，通気孔の開口面積の合計が占める割合は，５％〜４０％であることが好ましく，１０％〜２０％であってもよい。金属層３１に通気孔を形成する場合，バックシート３０に対して金属蒸着加工を施して金属層３１を形成した後，公知のニードル等を用いて，このバックシート３０の金属層３１を厚み方向に貫通することで，通気孔を形成すればよい。このように，バックシート３０の金属層３１に微細な通気孔を多数形成することで，金属層３１による保温性を維持しつつも，金属層３１に通気性を付与することができるため，使い捨ておむつにムレが生じることを防止できる。
【００４３】
また，金属層３１を有するバックシート３０に対して，エンボス加工を施し，複数の凸部と複数の凹部を形成することもできる。エンボス加工は，例えば，複数のエンボスを備えるエンボスロールと，平滑面を持つアンビルロールの間に金属層３１を持つバックシート３０を導入し，バックシート３０の構成繊維間を加熱及び加圧することによって形成すればよい。金属層３１自体に凹部と凸部を形成することで，金属層３１を持つバックシート３０の手触りが柔軟になると共に，保温効果の向上が期待できる。
【００４４】
また，トップシート２０とバックシート３０の間に吸収体１０を封入するにあたり，バックシート３０と吸収体１０は直接接合されていないことが好ましい。若しくは，バックシート３０と吸収体１０は，全面的に接合するのではなく，間隔をあけて接着剤を塗工することで，部分的に接合することとしてもよい。バックシート３０の肌対向面に金属層３１を形成した場合において，バックシート３０の金属層３１に接着剤を塗布して全面的に吸収体１０との接合を行うと，金属層３１が接着剤によって曇ってしまい，保温効果が低下する恐れがある。このため，トップシート２０とバックシート３０の間に吸収体１０を封入する際には，トップシート２０とバックシート３０を吸収体１０の周囲において接合すればよく，バックシート３０と吸収体１０とは直接接合しないものであることが好ましい。また，シート３０と吸収体１０に間隔をあけて接着剤を塗工して，両者を部分的に接合することとしてもよい。
【００４５】
（２−４．カバーシート）
カバーシート４０は，バックシート３０を補強して，その手触りを良くし，かつ，バックシート３０の金属層３１による保温効果を高めることを目的として設けられるシート状の部材である。図２（ａ）の断面図に示されるように，カバーシート４０は，バックシート３０の肌非対向面側に貼り合わせられる。なお，カバーシート４０は，後述するサイドシート５０の一部に重畳して貼り合わせられるものであってもよい。カバーシート４０を構成する材料としては，織布や不織布が用いられる。特に，カバーシート４０を構成する材料として，ポリエチレン，ポリプロピレン，ポリエステルのような熱可塑性樹脂からなる湿式不織布又は乾式不織布を用いることが好ましい。また，カバーシート４０を構成する不織布としては，熱可塑性樹脂からなる繊維を，スパンボンド法，エアースルー法，スパンレース法，サーマルボンド法，メルトブローン法，又はニードルパンチ法等の加工法によって加工したものが挙げられる。
【００４６】
上記のように，金属層３１を有するバックシート３０の肌非対向面側に，さらに，カバーシート４０を貼り合わせることにより，金属層３１が反射した体熱の拡散を防止し，金属層３１が持つ保温効果を高めることができる。また，バックシート３０の肌非対向面側に金属層３１を形成した場合においては，この金属層３１をカバーシート４０によって覆うことにより，金属層３１による光の反射を目立たなくさせることが可能である。
【００４７】
図２（ｂ）は，吸収性本体４の一部を拡大した断面図であり，カバーシート４０の変形例を示している。図２（ｂ）に示されるように，カバーシート４０は，エンボス加工を施すことにより，複数の凹部４１と複数の凸部４２が形成されたものであることが好ましい。凹凸が付与されたカバーシート４０を，バックシート３０の肌非対向面側に貼合することで，バックシート３０とカバーシート４０の間に空気層が多く形成されるようになるため，金属層３１を備えたバックシート３０の保温効果をさらに向上させることができる。エンボス加工は，例えば，複数のエンボスを備えるエンボスロールと，アンビルロールの間にカバーシート４０を導入し，構成繊維間を加熱及び加圧することによって行えばよい。このとき，エンボスロールのエンボスが接するアンビルロールの表面は，平滑面であってもよいし，エンボスの突起形状に対応した複数の窪みが形成されていてもよい。カバーシート４０の形成される凹凸の高低差を大きくし，バックシート３０とカバーシート４０の間により大きい空気層を形成することを考慮すると，アンビルロールは，その表面に，エンボスロールのエンボスが挿入される複数の窪み部を有するものを用いることが特に好ましい。
【００４８】
また，カバーシート４０を加圧するエンボスのエンボス面積率は，例えば，５〜２５％，又は８％〜２０％であることが好ましい。ここにいうエンボス面積率とは，複数のエンボスの総平面面積が，当該総平面面積と非エンボス部分を含めたエンボスロールの周面の全平面面積に対して占める割合を意味する。各エンボスの頂部は平面をなしており，各エンボスの頂部（平面）と，アンビルロールの平滑面又は窪み部の間で加圧されることにより，繊維間が接合されて，カバーシート４０に複数の凹部４１が形成される。このため，エンボスロールの周面の全平面面積に対するエンボスの総平面面積の割合を求めれば，実質的に，カバーシート４０刻印された凹部の総面積がエンボス加工された全面積して占める割合を求めることができる。なお，このエンボス面積率は，一般的に，以下の計算式により求めることができる。
計算式：（Ｓ１／Ｓ２）×１００（％）
定義：Ｓ１＝全エンボス突起の総平面面積
Ｓ２＝エンボスロールの全面積
【００４９】
エンボスの形状は，三角柱，四角柱，円柱，三角錐台，四角錐台，又は円錐台等のドット状であってもよいし，直線状，斜線状，正方格子状，又は千鳥格子状等のライン状であってもよい。また，エンボスの頂部側の角部に，いわゆるアール加工を施したり，面取り加工を施したりすることもできる。
【００５０】
（２−５．サイドシート）
一対のサイドシート５０は，吸収体１０の両側部に立体ギャザーを形成するための部材である。図２（ａ）の断面図に示されるように，吸収体１０の左右両側には，一対のサイドシート５０が設けられる。立体ギャザーは，吸収体１０の両側縁部に沿って起立し，着用者が排泄した尿の横漏れを防止するため防漏壁として機能する。吸収体１０の両側縁に沿っては配置された一対のサイドシート５０は，おむつの長手方向に沿って，トップシート２０上に固定される。また，一対のサイドシート５０は，トップシート２０及びバックシート３０の両側縁を挟みこむようにして，トップシート２０の上面側及びバックシート３０の底面側に，ホットメルト接着剤等によって固定されている。
【００５１】
サイドシート５０は，複数の弾性伸縮部材５１，５２が，使い捨ておむつの長さ方向に沿って伸長状態で配設されており，複数の弾性伸縮部材５１，５２の収縮力を利用して立体ギャザーを形成する。つまり，伸長状態で固定されている弾性伸縮部材５１，５２が収縮すると，一対のサイドシート５０も収縮し，立体ギャザーが立ち上がる。
【００５２】
より具体的に説明すると，図２（ａ）に示された実施形態において，複数の弾性伸縮部材は，一対のサイドシート５０の外側に配置される外側ギャザー伸縮部材５１と，一対のサイドシート５０の内側に配置される内側ギャザー伸縮部材５２に分類される。図２（ａ）に示されるように，バックシート３０の肌非対向面に一部固定されたサイドシート５０を，トップシート２０とバックシート３０の接合位置よりもおむつの幅方向外側において，吸収体１０の内方に向かって折り返して，外側折返部５１ａを形成する。そして，サイドシート５０の外側折返部５１ａには，おむつの長手方向に沿って，複数の外側ギャザー伸縮部材５１が伸長状態で挟持される。これにより，サイドシート５０は，外側折返部５１ａにおいて，外側ギャザー伸縮部材５１の収縮力を利用して起立し，外側ギャザー部を形成する。また，外側折返部５１ａにおいて折り返されたサイドシート５０の一部は，トップシート２０とバックシート３０を挟み込むように，トップシート２０の肌対向面上に固定される。さらに，サイドシート５０は，トップシート２０との固定位置よりも内側に向かって延在しており，この延在している部分が，吸収体１０の幅方向内方又は幅方向外方に向かって折り返され，内側折返部５２ａを形成する。そして，サイドシート５０の内側折返部５２ａには，使い捨ておむつの長手方向に沿って，複数の内側ギャザー伸縮部材５２が伸長状態で挟持される。これにより，サイドシート５０は，内側折返部５２ａにおいて，内側ギャザー伸縮部材５２の収縮力を利用して起立し，内側ギャザー部５２を形成する。
【００５３】
一対のサイドシート５０を構成する材料としては，撥水性を有するシート材料を用いることが好ましい。サイドシート５０の材料の例としては，撥水性が高くかつ通気性が良いという観点から，スパンボンドやカードエンボスのような不織布を用いることが好ましい。また，サイドシート５０としては，耐水圧が高いという理由から，ＳＭＳ（スパンボンド／メルトブロー／スパンボンド）や，ＳＭＭＳ（スパンボンド／メルトブロー／メルトブロー／スパンボンド）のような目の詰まった不織布を用いることとしてもよい。また，立体ギャザーを形成するための弾性伸縮部材５１，５２には，糸状弾性ゴムを適用することが好ましい。このようなゴム材としては，スチレン系ゴム，オレフィン系ゴム，ウレタン系ゴム，エステル系ゴム，ポリウレタン，ポリエチレン，ポリスチレン，スチレンブタジエン，シリコーン，又はポリエステル等の素材を用いることができる。
【００５４】
（３．前身頃外装体及び後身頃外装体）
図１に示されるように，前身頃外装体５及び後身頃外装体６は，使い捨ておむつの装着時において着用者の腹部及び背部に接触するとともに，前身頃外装体５及び後身頃外装体６の間に位置する吸収性本体４を，吊持するための部材である。
【００５５】
前身頃外装体５と後身頃外装体６は，おむつの幅方向の左右両側縁部に，一対のサイドシール部７を有している。前身頃外装体５と後身頃外装体６は，おむつの幅方向の左右両側縁部を互いに重ね合わせた状態で，一対のサイドシール部７において接合される。例えば，この一対のサイドシール部７は，おむつの長さ方向に延びて直線的に形成される。サイドシール部７において，前身頃外装体５と後身頃外装体６は，例えば熱エンボス融着や超音波エンボス融着のような公知の接合手段により接合される。
【００５６】
前身頃外装体５と後身頃外装体６は，例えば，インナーシートとアウターシートの２枚のシート部材を貼り合わせることにより構成されている。インナーシートは，着用者の肌に接する面（肌対向面）側に配置され，アウターシートは，着用者の肌に接しない面（肌非対向面）側に配置される。インナーシートとアウターシートは，別途形成されたシート材であってもよいし，例えば一枚のシート材を使い捨ておむつの腰周り開口部の端縁に相当する位置で折り返すことにより一体的に形成されたものであってもよい。また，インナーシートとアウターシートの間には，他のシート部材が介在するものであってもよい。インナーシートとアウターシートは，例えば，柔軟な繊維不織布やプラスチックシートや，それらのラミネートシートによって形成されている。インナーシートとアウターシートの間は，例えばホットメルト接着剤によって接着される。さらに，インナーシートとアウターシートの間には，使い捨ておむつの幅方向に沿って配置された複数本の弾性伸縮部材が，長さ方向に間隔をおいて伸長状態で固定されている。前身頃外装体と後身頃外装体に配置された弾性伸縮部材は，前身頃外装体５及び後身頃外装体６の腰周りや腹周りにギャザーを形成するための部材である。すなわち，インナーシートとアウターシートの間に伸長状態で挟持された複数本の弾性伸縮部材が収縮することにより，インナーシートやアウターシートに襞が生じてギャザーが形成される。ギャザーを形成することで，前身頃外装体５及び後身頃外装体６の柔軟性や密着性を高めることができる。複数本の弾性伸縮部材には，糸状弾性ゴムを適用することが好ましく，このようなゴム材としては，スチレン系ゴム，オレフィン系ゴム，ウレタン系ゴム，エステル系ゴム，ポリウレタン，ポリエチレン，ポリスチレン，スチレンブタジエン，シリコーン，又はポリエステル等の公知の素材を採用できる。
【００５７】
（４．補助シート）
図３は，図１及び図２を参照して説明した実施形態とは異なる実施形態を示している。図３は，図２と同様に，吸収性本体４の断面を示すものである。図３に示した実施形形態の説明において，上記図１及び図２に示した実施形態と同じ構成については同じ符号を付してその説明を割愛し，上記図１及び図２の実施形態と異なる構成を中心に説明を行う。
【００５８】
図３（ａ）に示されるように，本実施形態において，吸収性本体４は，さらに，第１補助シート６０を有している。第１補助シート６０は，吸収体１０とバックシート３０の間に配置される。また，図に示されるように，第１補助シート６０は，トップシート２０とバックシート３０の間に配置されるものであってもよい。第１補助シート６０は，その肌対向面が吸収体１０（コアラップシート１１）及びトップシート２０に接合されており，その肌非対向面側がバックシート３０に接合されたものであることが好ましい。
【００５９】
第１補助シート６０の構成材料の例は，織布，不織布，又は多孔性フィルムである。また，第１補助シート６０としては，ポリプロピレン，ポリエチレン，ポリエステル，又はナイロンのような熱可塑性樹脂の繊維に親水化処理を施して，不織布にしたものを用いることとしてもよい。また，第１補助シート６０を構成する不織布としては，熱可塑性樹からなる構成繊維を，スパンボンド法，エアースルー法，スパンレース法，サーマルボンド法，メルトブローン法，又はニードルパンチ法等の加工法によって加工したものが挙げられる。特に，嵩高でソフトな不織布を得られるという観点から，第１補助シート６０は，サーマルボンド法やエアースルー法により形成されたものであることが好ましい。さらに具体的に説明すると，第１補助シート６０は，坪量が，１０〜２０ｇ／ｍ２の不織布であることが好ましい。このような坪量の不織布によって第１補助シート６０を形成することにより，柔らかさと，強度のバランスを維持することができる。また，第１補助シート６０を形成する不織布は，ＫＥＳ曲げ剛性計測器（カトーテック社製：ＫＥＳ−ＦＢ２）によって測定した曲げ剛性が，０．０１０ｇ・ｃｍ２／ｃｍ以下であり，ＫＥＳ風合い計測器（カトーテック社製：ＫＥＳ−ＳＥ）によって測定した平均摩擦係数が，０．２５以下であることが好ましい。例えば，第１補助シート６０を形成する不織布は，曲げ剛性が０．００１〜０．０１０ｇ・ｃｍ２であり，平均摩擦係数が０．０１〜０．２５であることが好ましい。このような物理的特性の不織布を利用することで，第１補助シート６０の柔らかさが向上する。また，第１補助シート６０を形成する不織布は，耐水圧（ＪＩＳ  Ｌ  １０９２の試験方法により測定）が，１５０ｍｍＨ２Ｏ以上であることが好ましい。例えば，不織布は，耐水圧は，１５０ｍｍＨ２Ｏ〜２００ｍｍＨ２Ｏであることが好ましい。このような耐水圧性を有する不織布を利用することで，第１補助シート６０の防漏性が高まる。
【００６０】
上記のように，吸収体１０とバックシート３０との間に，さらに第１補助シート６０を介在させることで，吸収体１０とバックシート３０の金属層３１の間に空気層が形成されるため，金属層３１による保温効果をさらに高めることができる。また，図３（ａ）に示した例では，吸収体１０とバックシート３０との間に配置される第１補助シート６０は一枚であるが，この第１補助シート６０は，複数層に重ねて，吸収体１０とバックシート３０との間に配置されたものであってもよい。バックシート３０の金属層３１の肌対向面側に，不織布等によって形成された第１補助シート６０を複数層重ねることで，保温効果が格段に向上することが期待できる。
【００６１】
また，図３（ｂ）は，吸収性本体４の一部を拡大した断面図であり，図３（ａ）に示した実施形態の変形例を示している。図３（ｂ）に示されるように，第１補助シート６０は，エンボス加工を施すことにより，複数の凹部６１と複数の凸部６２が形成されたものであることが好ましい。凹凸が付与された第１補助シート６０を，吸収体１０とバックシート３０の間に配置することで，吸収体１０とバックシート３０の間の空気層が増加するため，金属層３１を備えたバックシート３０の保温効果をさらに効果的に向上させることができる。エンボス加工は，例えば，複数のエンボスを備えるエンボスロールと，アンビルロールの間に第１補助シート６０を導入し，構成繊維間を加熱及び加圧することによって行えばよい。このとき，エンボスロールのエンボスが接するアンビルロールの表面は，平滑面であってもよいし，エンボスの突起形状に対応した複数の窪みが形成されていてもよい。第１補助シート６０の形成される凹凸の高低差を大きくし，吸収体１０とバックシート３０の間により大きい空気層を形成することを考慮すると，アンビルロールは，その表面に，エンボスロールのエンボスが挿入される複数の窪み部を有するものを用いることが特に好ましい。
【００６２】
また，図３（ｂ）に示されるように，バックシート３０の肌非対向面側に配置されるカバーシート４０にも，第１補助シート６０と同様にエンボス加工を施し，凹部４１と凸部４２を形成することが好ましい。これにより，金属層３１を有するバックシート３０を，肌対向面側及び肌非対向面側の両方から，エンボス加工によって凹凸が付与されたシート部材４０，６０によって挟み込むことができる。このように，バックシート３０の両面側にエンボス加工が施されたシート部材を配置し，金属層３１の周囲に空気層を広く形成することで，保温効果のさらなる向上が期待できる。
【００６３】
図４は，上記した実施形態とはさらに別の実施形態を示している。図４（ａ）に示されるように，本実施形態において，吸収性本体４は，さらに，第１補助シート６０に加え，第２補助シート７０を有している。図３に示した実施形態と同様に，第１補助シート６０は，吸収体１０とバックシート３０の間に配置される。これに加え，第２補助シート７０は，バックシート３０とカバーシート４０の間に配置される。第２補助シート７０は，その肌対向面がバックシート３０に接合されており，その肌非対向面側がカバーシート４０に接合されたものであることが好ましい。
【００６４】
第２補助シート７０としては，第１補助シート６０と同様のものを採用できる。すなわち，第２補助シート７０の構成材料の例は，織布，不織布，又は多孔性フィルムである。また，第２補助シート７０としては，第１補助シート６０と同様に，ポリプロピレン，ポリエチレン，ポリエステル，又はナイロンのような熱可塑性樹脂の繊維に親水化処理を施して，不織布にしたものを用いることとしてもよい。また，第２補助シート７０を構成する不織布としては，熱可塑性樹からなる構成繊維を，スパンボンド法，エアースルー法，スパンレース法，サーマルボンド法，メルトブローン法，又はニードルパンチ法等の加工法によって加工したものが挙げられる。特に，嵩高でソフトな不織布を得られるという観点から，第２補助シート７０は，サーマルボンド法により形成されたものであることが好ましい。
【００６５】
上記のように，バックシート３０とカバーシート４０の間に，さらに第２補助シート７０を介在させることで，バックシート３０の金属層３１により反射する体熱の拡散を防止できため，さらに効率的に吸収体１０に吸収された体液を保温することができる。また，図４（ａ）に示した例では，とバックシート３０とカバーシート４０の間に配置される第２補助シート７０は一枚であるが，この第２補助シート７０は，複数層に重ねて，バックシート３０とカバーシート４０の間に配置されたものであってもよい。
【００６６】
また，図４（ｂ）は，吸収性本体４の一部を拡大した断面図であり，図４（ａ）に示した実施形態の変形例を示している。図４（ｂ）に示されるように，第２補助シート７０は，エンボス加工を施すことにより，複数の凹部７１と複数の凸部７２が形成されたものであることが好ましい。凹凸が付与された第２補助シート７０を，バックシート３０カバーシート４０の間に配置することで，バックシート３０とカバーシート４０の間の空気層が増加するため，金属層３１を備えたバックシート３０の保温効果をさらに効果的に向上させることができる。エンボス加工は，例えば，複数のエンボスを備えるエンボスロールと，アンビルロールの間に第２補助シート７０を導入し，構成繊維間を加熱及び加圧することによって行えばよい。このとき，エンボスロールのエンボスが接するアンビルロールの表面は，平滑面であってもよいし，エンボスの突起形状に対応した複数の窪みが形成されていてもよい。第２補助シート７０の形成される凹凸の高低差を大きくし，バックシート３０とカバーシート４０の間により大きい空気層を形成することを考慮すると，アンビルロールは，その表面に，エンボスロールのエンボスが挿入される複数の窪み部を有するものを用いることが特に好ましい。
【００６７】
また，図４（ｂ）に示されるように，バックシート３０の肌対向面側に配置される第１補助シート６０にもエンボス加工を施し，凹部６１と凸部６２を形成することが好ましい。これにより，金属層３１を有するバックシート３０を，肌対向面側及び肌非対向面側の両方から，エンボス加工によって凹凸が付与されたシート部材６０，７０によって挟み込むことができる。このように，バックシート３０の両面側にエンボス加工が施されたシート部材を配置し，金属層３１の周囲に空気層を広く形成することで，保温効果のさらなる向上が期待できる。
【００６８】
また，図４（ｂ）に示されるように，バックシート３０の肌非対向面側に配置された第２補助シート７０にエンボス加工を施すことで，カバーシート４０にはエンボス加工を行わなくて済むというメリットもある。すなわち，カバーシート４０は，吸収性本体４の最外層を形成するものであり，使い捨ておむつを装着した際に，着用者の被覆に接触したり，着用者の手指が直接触れることとなる。このようなカバーシート４０に，エンボス加工を施すと，カバーシート４０に形成された凹凸が被覆に引っ掛かって使い捨ておむつの着脱が難しくなったり，カバーシート４０を触ったときの手触りが損なわれるということが懸念される。このため，第２補助シート７０にエンボス加工を施して，バックシート３０との間に空気層を形成することが出来れば，必ずしもカバーシート４０にエンボス加工を施す必要がなくなるため，上記のようなカバーシート４０自体にエンボス加工を施した際に生じる恐れのある不具合を解消できる。
【００６９】
（５．金属層と非金属域について）
続いて，図５を参照して，さらに別の実施形態について説明する。図５は，使い捨ておむつの構成部材のうち，吸収体１０と，トップシート２０と，バックシート３０と，カバーシート４０を概念的に抽出して斜視図であり，バックシート３０に金属層３１を形成する領域を模式的に示している。
【００７０】
図５に示されるように，バックシート３０の肌対向面及び／又は肌非対向面には，その全面ではなく，部分的に金属層３１を形成することとしてもよい。具体的に説明すると，バックシート３０に金属層３１を部分的に形成する場合，この金属層３１は，少なくとも，バックシート３０と吸収体１０が厚み方向に重なる領域内に形成されていることが好ましい。ただし，金属層３１は，バックシート３０と吸収体１０が厚み方向に重なる部分を含む領域内に形成されたものであってもよい。このように，バックシート３０と吸収体１０が重なる領域に金属層３１を形成することにより，図５に示されるように，金属層３１の四方周囲に，金属材料が蒸着又はラミネートされていない非金属域３２が形成される。すなわち，バックシート３０は，吸収体１０よりも長手方向及び幅方向に延出したものであるため，この延出部分に，非金属域３２が形成されることとなる。
【００７１】
金属層３１を形成することにより，保温効果を最も期待できる部分は，バックシート３０に，吸収体１０が重なる部分であるため，このバックシート３０に吸収体１０が重なる部分に金属層３１を形成することで，十分な保温効果を得られる。また，バックシート３０と吸収体１０が重なる部分にのみ金属層３１を形成し，その他の部分は非金属域３２とすることで，金属材料を蒸着又はラミネートする面積を低減させることができるため，吸収性物品の製造コストを低減できる。また，バックシート３０の周縁に沿って非金属域３２を形成することにより，少なくともバックシート３０の周縁部分の肌触りを柔らかいままに維持できるため，金属層３１を形成したとしても，吸収性物品全体の風合いが損なわれることを効果的に防止できる。 
【００７２】
また，図５に示されるように，バックシート３０の金属層３１の周囲に非金属域３２を形成する場合において，バックシート３０とトップシート２０を接合してその間に吸収体１０を封入する際には，バックシート３０の非金属域３２に，トップシート２０を接合することが好ましい。すなわち，バックシート３０の肌対向面の前面に金属層３１を形成すると，バックシート３０とトップシート２０するときには，金属層３１の表面にホットメルト接着剤をしなければならず，両シートの接合強度が低下する恐れがある。この点，バックシート３０に形成された金属層３１の周囲に，積極的に非金属域３２を形成し，この非金属域３２にトップシート２０を接合するようにすることで，バックシート３０とトップシート２０の接合強度を高めることができ，両シート部材が剥離することを防止できる。また，バックシート３０の金属層３１にホットメルト接着剤等を塗布する必要がなくなるため，金属層３１による保温効果を維持できる。このように，非金属域３２において，バックシート３０とトップシート２０を接合することを考慮すると，非金属域３２は，その一辺の幅が，５ｍｍ〜４０ｍｍ，１０ｍｍ〜２０ｍｍ程度形成されていることが好ましい。
【００７３】
また，金属蒸着により，バックシート３０に部分的な金属層３１を形成するときには，バックシート３０の非金属域３２を形成する部分に，マスキングを施した状態で金属蒸着を行えばよい。また，反対に，金属蒸着によってバックシート３０の全面に金属層３１を形成した後，金属層３１を残しておきたい部分にマスキングを施した状態で，その他の部分をエッチングして非金属域３２を形成し，最後のマスキングを除去するという方法も考えられる。
【００７４】
以上，本発明の吸収性物品について，好ましい形態を例に挙げて説明を行った。ただし，本発明は，上記した実施形態に限定されるものではなく，上記した実施形態に基づいて当業者が自明な範囲で適宜修正や改変を行うことができる。
【産業上の利用可能性】
【００７５】
本発明は，使い捨ておむつ，吸収パッド，又は生理用ナプキンのような吸収性物品に関するものである。このため，本発明の吸収性物品は，育児や介護に関する産業などにおいて好適に利用し得る。
【符号の説明】
【００７６】
１０…吸収体                １１…コアラップシート    ２０…トップシート
３０…バックシート          ３１…金属層          ３２…非金属域
４０…カバーシート          ５０…サイドシート        ５１…外側ギャザー伸縮部材
５２…内側ギャザー伸縮部材  ６０…第１補助シート      ７０…第２補助シート
１００…使い捨ておむつ（吸収性物品）
【図１】
2014180461.tif 000003
【図２】
2014180461.tif 000004
【図３】
2014180461.tif 000005
【図４】
2014180461.tif 000006
【図５】
2014180461.tif 000007